(57)【要約】【課題】開閉カバー部材の安全性を高めたカプセル型高気圧エアー浴装置を提供する。【解決手段】寝台部４と所定の高気圧エアー浴空間を保持した状態で上記寝台部４を覆う開閉可能な開閉カバー部材３とを含む筐体１と、上記開閉カバー部材３の閉状態を自動的にロックする自動ロック手段５と、開閉カバー部材３が寝台部４を覆って自動ロック手段５によるロック状態の上記高気圧エアー浴空間を加圧する加圧ポンプ２と、上記開閉カバー部材３の閉状態を上記高気圧エアー浴空間の加圧状態においてロック状態を維持するとともに、上記高気圧エアー浴空間が常圧状態になったときにロック解除を可能とするマニュアルロック手段６とを備えた。【選択図】図１
2008194137.tif 000002
【特許請求の範囲】
【請求項１】
寝台部と所定の高気圧エアー浴空間を保持した状態で上記寝台部を覆う開閉可能な開閉カバー部材とを含む筐体と、上記開閉カバー部材の閉状態を自動的にロックする自動ロック手段と、開閉カバー部材が寝台部を覆って自動ロック手段によるロック状態の上記高気圧エアー浴空間を加圧する加圧手段と、上記開閉カバー部材の閉状態を上記高気圧エアー浴空間の加圧状態においてロック状態を維持するとともに、上記高気圧エアー浴空間が常圧状態になったときにロック解除を可能とするマニュアルロック手段とを備えたことを特徴とするカプセル型高気圧エアー浴装置。
【請求項２】
上記マニュアルロック手段は、高気圧エアー浴空間内の加圧力によってロック状態を維持し、高気圧エアー浴空間内が常圧に降圧することによりロック解除を可能とするように構成されている請求項１記載のカプセル型高気圧エアー浴装置。
【請求項３】
上記マニュアルロック手段は、高気圧エアー浴空間内に内側操作レバーが設けられ、高気圧エアー浴空間外に外側操作レバーが設けられている請求項１または２記載のカプセル型高気圧エアー浴装置。
【請求項４】
上記マニュアルロック手段は、内側操作レバーおよび外側操作レバーが取り付けられるシャフト部材と、上記シャフト部材が回動可能に挿通されるシャフト保持部材と、上記シャフト部材に固定されたフック部材と、上記フック部材が係止することによりロック状態とするロックピンとを備え、上記シャフト保持部材が寝台部の壁面に形成された貫通穴に挿通され、寝台部とシャフト保持部材との隙間に気密を保持する第１シール部材を存在させるとともに、シャフト保持部材とシャフト部材の隙間に気密を保持する第２シール部材を存在させた請求項３記載のカプセル型高気圧エアー浴装置。
【請求項５】
上記自動ロック手段は、開閉カバー部材に取り付けられた係止ピンと、上記開閉カバー部材が閉じた状態で上記係止ピンを係止してロック状態とするための係止部材と、上記係止部材を駆動する駆動手段とを備え、上記係止部材は駆動手段によって駆動されることにより、係止ピンを徐々に寝台部に向かって引き込んで開閉カバー部材と寝台部間のシール部の密着力を高くするように構成されている請求項１〜４のいずれか一項に記載のカプセル型高気圧エアー浴装置。
【請求項６】
上記寝台部と開閉カバー部材との隙間に配置されて気密を保持するパッキン部材を備え、上記パッキン部材は、上記高気圧エアー浴空間に導入された加圧空気が侵入する加圧空気侵入空間と、上記加圧空気侵入空間への加圧空気の侵入により変位して相手材である寝台部もしくは開閉カバー部材に密着する変位部とを有している請求項１〜５のいずれか一項に記載のカプセル型高気圧エアー浴装置。
【発明の詳細な説明】
【技術分野】
【０００１】
本発明は、高気圧の密閉環境を創り出すカプセル型高気圧エアー浴装置に関するものである。
【背景技術】
【０００２】
従来から、この種の装置は、一般に、高気圧エアーチャンバーとして、気密を保持し得る布状シートから形成された円筒の袋状のもので、ファスナーの開閉部を有するものが使用されていた。このような高気圧エアーチャンバーは、長手方向に設けられたファスナーを開けてそこから人が入って内部に横たわり、ファスナーを閉めてから内部空間に徐々に空気を送り込んで１．３気圧前後の高気圧環境を作り出すものである。このような高気圧の密閉空間内に数十分〜数時間程度寝ることで、筋肉や靭帯の損傷・骨折等の早期治癒や、筋肉の軽い疲労感の解消や、血液の循環を促進することができるものである。
【特許文献１】特開２００５−３１９０７７
【発明の開示】
【発明が解決しようとする課題】
【０００３】
このような従来型の高気圧エアーチャンバーは、骨折等の早期治癒や筋肉疲労の解消効果があるため、従来はスポーツ選手等によく利用されていた。ところが近年では、血液循環の促進効果に基づいてエステティック美容分野等における利用が検討されている。
【０００４】
このように、エステティック美容分野等において従来型の高気圧チャンバーを使用しようとすると、チャンバーが布状シートから形成された袋状であるため、内部の気圧が上がったときは風船のようにパンパンに膨らむものの、空気が抜けたときはぐにゃぐにゃに萎んでしまうため、極めて見た目に悪いという問題があった。また、ぐにゃぐにゃに萎んだチャンバーのファスナーを開けてそこから人が出入するため、人の出入の際に袋がぐにゃぐにゃと変形するために出入の際に身体の安定性が極めて悪く、安全性に欠けるうえに使用感も極めて悪かった。このような問題があるため、高級感を売りにしたエステティックサロン等では採用しにくいという事情があった。そこで、ＦＲＰのような硬質素材でカプセルを形成し、このカプセル内を高気圧環境にする装置が考えられるが、このような装置では、内部が高気圧環境になることから、開閉部材等に安全性が求められる。
【０００５】
本発明は、このような事情に鑑みなされたもので、開閉カバー部材の安全性を高めたカプセル型高気圧エアー浴装置の提供を目的とする。
【課題を解決するための手段】
【０００６】
上記目的を達成するため、本発明のカプセル型高気圧エアー浴装置は、寝台部と所定の高気圧エアー浴空間を保持した状態で上記寝台部を覆う開閉可能な開閉カバー部材とを含む筐体と、上記開閉カバー部材の閉状態を自動的にロックする自動ロック手段と、開閉カバー部材が寝台部を覆って自動ロック手段によるロック状態の上記高気圧エアー浴空間を加圧する加圧手段と、上記開閉カバー部材の閉状態を上記高気圧エアー浴空間の加圧状態においてロック状態を維持するとともに、上記高気圧エアー浴空間が常圧状態になったときにロック解除を可能とするマニュアルロック手段とを備えたことを要旨とする。
【発明の効果】
【０００７】
すなわち、本発明は、寝台部と所定の高気圧エアー浴空間を保持した状態で上記寝台部を覆う開閉可能な開閉カバー部材とを含む筐体と、上記開閉カバー部材の閉状態を自動的にロックする自動ロック手段と、開閉カバー部材が寝台部を覆って自動ロック手段によるロック状態の上記高気圧エアー浴空間を加圧する加圧手段とを備えていることから、従来の高気圧エアーチャンバーのように、空気が抜けたときでもぐにゃぐにゃに萎んでしまうことがなく、カプセル状の形状を維持するため、見た目の美観がよいうえ、開閉カバー部材を開けて人が出入りするときにも、身体が安定して安全であるうえ使用感も良好である。
【０００８】
しかも、上記開閉カバー部材の閉状態を上記高気圧エアー浴空間の加圧状態においてロック状態を維持するとともに、上記高気圧エアー浴空間が常圧状態になったときにロック解除を可能とするマニュアルロック手段を備えていることから、自動ロック手段に何らかのトラブルが生じて内部の高気圧エアー浴空間が加圧された状態のまま自動ロック手段がロック解除されたとしても、マニュアルロック手段のロックが解除されない限り開閉カバー部材は閉状態を維持するので、開閉カバー部材が加圧力で吹っ飛んでしまうような事故を未然に防ぐことが出来て安全性を確保することができる。しかも、上記高気圧エアー浴空間が常圧状態になったときには、利用者はマニュアルで容易にロック解除して開閉カバー部材を開けて外に出ることができる。
【０００９】
本発明において、上記マニュアルロック手段は、高気圧エアー浴空間内の加圧力によってロック状態を維持し、高気圧エアー浴空間内が常圧に降圧することによりロック解除を可能とするように構成されている場合には、高気圧エアー浴空間内が加圧されている間はその加圧力によってロック状態が維持されるので開閉カバー部材が開いてしまわずに安全性を確保でき、高気圧エアー浴空間内が常圧に降圧することによりロック解除が可能となって利用者は容易に外に出ることができる。
【００１０】
本発明において、上記マニュアルロック手段は、高気圧エアー浴空間内に内側操作レバーが設けられ、高気圧エアー浴空間外に外側操作レバーが設けられている場合には、高気圧エアー浴空間内が常圧に降圧したときには、利用者自ら内側操作レバーを操作してロック解除して外に出ることもできるし、店員等が外側操作レバーを操作してロック解除することにより利用者を外に出すこともできる。
【００１１】
本発明において、上記マニュアルロック手段は、内側操作レバーおよび外側操作レバーが取り付けられるシャフト部材と、上記シャフト部材が回動可能に挿通されるシャフト保持部材と、上記シャフト部材に固定されたフック部材と、上記フック部材が係止することによりロック状態とするロックピンとを備え、上記シャフト保持部材が寝台部の壁面に形成された貫通穴に挿通され、寝台部とシャフト保持部材との隙間に気密を保持する第１シール部材を存在させるとともに、シャフト保持部材とシャフト部材の隙間に気密を保持する第２シール部材を存在させた場合には、内側操作レバーおよび外側操作レバーの回動操作によりフック部材を回動させて容易にロック状態やロック解除状態にすることができるうえ、寝台部とシャフト保持部材との隙間の気密状態およびシャフト保持部材とシャフト部材の隙間の気密状態が保持されて高気圧エアー浴空間内からのエア漏れを防止し、高気圧状態を確実に維持することができる。
【００１２】
本発明において、上記自動ロック手段は、開閉カバー部材に取り付けられた係止ピンと、上記開閉カバー部材が閉じた状態で上記係止ピンを係止してロック状態とするための係止部材と、上記係止部材を駆動する駆動手段とを備え、上記係止部材は駆動手段によって駆動されることにより、係止ピンを徐々に寝台部に向かって引き込んで開閉カバー部材と寝台部間のシール部の密着力を高くするように構成されている場合には、駆動手段で係止部材を駆動することにより、徐々に開閉カバー部材と寝台部間のシール部の密着力が高くなることから、高気圧エアー浴空間内からのエア漏れを確実に防止し、高気圧状態を確実に維持することができる。
【００１３】
本発明において、上記寝台部と開閉カバー部材との隙間に配置されて気密を保持するパッキン部材を備え、上記パッキン部材は、上記高気圧エアー浴空間に導入された加圧空気が侵入する加圧空気侵入空間と、上記加圧空気侵入空間への加圧空気の侵入により変位して相手材である寝台部もしくは開閉カバー部材に密着する変位部とを有している場合には、上記高気圧エアー浴空間に加圧空気が導入されることにより変位部が相手材に密着して気密状態が確保されるため、高気圧エアー浴空間内からのエア漏れを確実に防止し、高気圧状態を確実に維持することができる。この場合において、高気圧エアー浴空間内を昇圧するほど変位部材の変位量が大きくなって密着力が高くなるように構成することにより、高気圧エアー浴空間内からのエア漏れを一層確実に防止し、高気圧状態を一層確実に維持することができる。
【発明を実施するための最良の形態】
【００１４】
図１〜図５は、本発明の一実施の形態のカプセル型高気圧エアー浴装置を示す図である。図１は全体の概略を示す側面図、図２および図３は自動ロック手段の構造を示す図、図４はマニュアルロック手段の構造を示す図、図５はパッキン部材の作用を示す図である。
【００１５】
図１に示すように、このカプセル型高気圧エアー浴装置は、寝台部４と所定の高気圧エアー浴空間を保持した状態で上記寝台部４の上面を覆う開閉可能な開閉カバー部材３とを含む筐体１とを備えている。
【００１６】
上記寝台部４は、この例ではＦＲＰ製であり、上状面に使用者が横たわるための寝台が形成されており、内部には後述する自動ロック手段５や加圧ポンプ２等を制御する制御装置（図示せず）が収容されている。上記開閉カバー部材３は、この例では同じくＦＲＰ製であり、上記寝台部４の寝台の上を覆って内部すなわち寝台との間に所定の高気圧エアー浴空間を形成するようになっている。上記開閉カバー部材３には、横たわった利用者の顔の上に外部から利用者の様子を見られるとともに利用者が外を見ることができるように透明の窓９が形成されている。
【００１７】
上記開閉カバー部材３は、寝台部４の一端側（この例では横たわった利用者の足側である）にヒンジ部７を介して回動可能に取り付けられ、開閉カバー部材３を寝台部４に対して回動させることにより開閉しうるように構成されている。図において、符号８は開閉カバー部材３の開閉動作を行ないやすくするとともに開けたときの開状態を維持するためのダンパ装置８である。
【００１８】
上記筐体１には、上記開閉カバー部材３の閉状態を自動的にロックするための自動ロック手段５と、開閉カバー部材３が寝台部４を覆って自動ロック手段５によるロック状態の上記高気圧エアー浴空間を加圧する加圧手段としての加圧ポンプ２とを備えている。なお、閉状態の開閉カバー部材３が寝台部４との間すなわち、開閉カバー部材３の下面開口縁とそれに対面する寝台部４の上面には、後述するパッキン部材１１（図１には示していない）が介在していて高気圧エアー浴空間の気密状態を保持しうるようになっている。
【００１９】
そして、この高気圧エアー浴装置では、寝台部４の寝台に利用者が横たわり、開閉カバー部材３を閉状態にして自動ロック手段５でロックし、加圧ポンプ２により内部の高気圧エアー浴空間を１．２〜１．３気圧程度に加圧し、その加圧状態を保ったまま利用者が数１０分〜数時間程度寝ることにより、利用者の血液の循環を促進してエステティック美容に使用したり、あるいは、筋肉や靭帯の損傷・骨折等の早期治癒や、筋肉の軽い疲労感の解消を行なうものである。
【００２０】
なお、上記筐体１には、高気圧エアー浴空間内が設定値以上に昇圧したときに気圧を下げる圧力制御弁や、内部の圧力値を検知して示す圧力ゲージ等が設けられている。
【００２１】
さらに、上記筐体１には、上記開閉カバー部材３の閉状態を上記高気圧エアー浴空間の加圧状態においてロック状態を維持するとともに、上記高気圧エアー浴空間が常圧状態になったときにロック解除を可能とするマニュアルロック手段６をさらに備えている。
【００２２】
つぎに、上記自動ロック手段５およびマニュアルロック手段６についてそれぞれ詳しく説明する。
【００２３】
図２および図３は、自動ロック手段５の構造を説明する図である。
【００２４】
この自動ロック手段５は、開閉カバー部材３に取り付けられて係止ピン１３を有するロックアーム１４と、上記開閉カバー部材３が閉じた状態で上記係止ピン１３を係止してロック状態とするための係止部材１５と、上記係止部材１５を駆動する駆動手段１７とを備えている。
【００２５】
上記ロックアーム１４は、先窄まり状に形成された板状体であり、先端部を下側に向けた状態で開閉カバー部材３に固定されている。また、先端部の内側には、円筒コロ状の係止ピン１３が固定されている。
【００２６】
上記係止部材１５は、回転軸２１を中心に回転する円盤状部材であり、盤面に上記係止ピン１３を係止するための係止溝１６が形成されている。上記係止溝１６は、一側面（図示の上側）に係止ピン１３が出入するための開放部１６ａが形成され、開閉カバー部材３が閉まるときに係止ピン１３が開放部１６ａから溝部１６ｂに侵入し、その状態で駆動手段１７によって図示の矢印Ａ方向に回転駆動されることにより、溝部１６ｂ内に係止ピン１３を侵入させて係止ピン１３が図示の上方に上がらないようにロックするものである。
【００２７】
上記駆動手段１７は、係止部材１５とともに回転軸２１を中心に回転するウォームホイール１８と、上記ウォームホイール１８を回転させるためのウォーム１９と、ウォーム１９を回転駆動するモータ２０とを備えて構成されている。これにより、モータ２０を正転させることによりウォーム１９が正転し、ウォームホイール１８および係止部材１５が図示の矢印Ａで示すロック方向に回転する。
【００２８】
上記係止部材１５の盤面に形成された溝部１６ｂは、開放部１６ａから図示の時計回り方向である奥方向に行くに従って回転軸２１に近くなる渦巻状に形成されている。これにより、上記駆動手段１７によって係止部材１５がロック方向に回転駆動されることにより、係止ピン１３は徐々に回転軸に近づいて、ロックアーム１４を徐々に図示の矢印Ｂ方向すなわち寝台部４に向かって引き込み、開閉カバー部材３と寝台部４との密着力を高くするように構成されている。
【００２９】
上記ロック状態を解除する場合には、モータ２０を逆転させることによりウォーム１９が逆転し、ウォームホイール１８および係止部材１５をロック方向と反対のロック解除方向に回転させ。開放部１６ａが上方に位置したところでモータ２０の回転を停止する。これによりロックが解除され、開閉カバー部材３を上方に回動させることで係止ピン１３が係止溝１６から抜けて開閉カバー部材３が容易に開くのである。
【００３０】
上記のような自動ロック手段５は、筐体１の前後（頭側と足側）において左右に各２箇所、合計で４箇所に設けられている。また、図３において符号４ａは寝台部４に形成されて自動ロック手段５を隠すカバー部材４ａである。
【００３１】
図４は、マニュアルロック手段６の構造を説明する図である。
【００３２】
上記マニュアルロック手段６は、横たわった利用者が手で操作できるように、筐体１の左右において、前後（頭側と足側）に設けられた自動ロック手段５同士の間に各１つずつ、合計で２箇所に設けられている。
【００３３】
上記マニュアルロック手段６は、高気圧エアー浴空間内の加圧力によってロック状態を維持し、高気圧エアー浴空間内が常圧に降圧することによりロック解除を可能とするように構成されている。
【００３４】
より詳しく説明すると、上記マニュアルロック手段６は、高気圧エアー浴空間内に内側操作レバー２３が設けられ、高気圧エアー浴空間外に外側操作レバー２５が設けられている。上記内側操作レバー２３および外側操作レバー２５は、シャフト部材２６の両端部にそれぞれ取り付けられている。
【００３５】
上記シャフト部材２６は、シャフト保持部材２７に回動可能に挿通され、上記シャフト保持部材２７が寝台部４の壁面に形成された貫通穴２８に挿通されている。上記シャフト部材２６には、内側操作レバー２３と壁面の間に、フック部材２４が固定されている。一方、上記開閉カバー部材３には、上記フック部材２４が係止することによりロック状態とするロックピン２９が固定されている。上記フック部材２４には、上記ロックピン２９を係止するための切欠部２４ａが形成されている。
【００３６】
そして、寝台部４とシャフト保持部材２７との隙間に気密を保持する第１シール部材を存在させている。すなわち、上記シャフト保持部材２７は筒状部２７ａと上記筒状部２７ａの両端に取り付けられるフランジ部２７ｂとからなり、筒状部２７ａを貫通穴２８に相通した状態で寝台部４の壁面に密着する円盤状の第１シール部材３０を介在させてねじ込み等によりフランジ部２７ｂを取り付けて寝台部４とシャフト保持部材２７との間をシールしている。
【００３７】
また、上記シャフト保持部材２７とシャフト部材２６の隙間に気密を保持する第２シール部材としてのＯリング３１を存在させている。すなわち、上記シャフト部材２６の略中央部外周面には周溝が形成されていて、上記周溝にシャフト保持部材２７の内周面とのシールをとるＯリング３１が嵌入されている。
【００３８】
上記のような構造により、上記外側操作レバー２５もしくは内側操作レバー２３を図示の矢印Ｃ方向に回動操作することにより切欠部２４ａにロックピン２９が係止されてロック状態となる。この状態で加圧ポンプ２が稼動されて高気圧エアー浴空間内に加圧力が働くと、内圧の作用で開閉カバー部材３は外側に膨らもうとする力が加わる。この内圧の作用によってフック部材２４で係止されたロックピン２９には図示の矢印Ｄ方向の力が加わり、増大された摩擦力によってフック部材２４の係止解除が困難となり、ロック状態が維持されるようになっている。
【００３９】
高気圧エアー浴空間内の加圧空気が抜かれて内部が常圧になると、上記のような内圧の作用が解除されることから、フック部材２４とロックピン２９との摩擦力も通常に戻ることから、上記外側操作レバー２５もしくは内側操作レバー２３を容易にロック解除方向に回動することが可能となる。
【００４０】
図５は、上記寝台部４と開閉カバー部材３との隙間に配置されて気密を保持するパッキン部材１１の作用を説明する図である。
【００４１】
上記パッキン部材１１は、開閉カバー部材３が閉まったときにその下面開放縁が対面する部分に、全周にわたって帯状に配置されている。上記パッキン部材１１は、その断面形状が、高気圧エアー浴空間側すなわち内側に開放する大略逆コ字状を呈している。逆コ字状の内部が、上記高気圧エアー浴空間に導入された加圧空気が侵入する加圧空気侵入空間３３に形成されている。
【００４２】
そして、上記加圧空気侵入空間３３の上側の部分が、加圧空気侵入空間３３への加圧空気の侵入により変位して相手材であるこの例では開閉カバー部材３の端縁に密着する変位部３４に形成されている。これにより、開閉カバー部材３が閉まって寝台部４の上面すなわち寝台面を覆った状態で、高気圧エアー浴空間内を昇圧するほど変位部３４の変位量が大きくなって変位部３４の密着力が高くなるようになっている。
【００４３】
以上のように、上記カプセル型高気圧エアー浴装置によれば、寝台部４と所定の高気圧エアー浴空間を保持した状態で上記寝台部４を覆う開閉可能な開閉カバー部材３とを含む筐体１と、上記開閉カバー部材３の閉状態を自動的にロックする自動ロック手段５と、開閉カバー部材３が寝台部４を覆って自動ロック手段５によるロック状態の上記高気圧エアー浴空間を加圧する加圧ポンプ２とを備えていることから、従来の高気圧エアーチャンバーのように、空気が抜けたときでもぐにゃぐにゃに萎んでしまうことがなく、カプセル状の形状を維持するため、見た目の美観がよいうえ、開閉カバー部材３を開けて人が出入りするときにも、身体が安定して安全であるうえ使用感も良好である。
【００４４】
しかも、上記開閉カバー部材３の閉状態を上記高気圧エアー浴空間の加圧状態においてロック状態を維持するとともに、上記高気圧エアー浴空間が常圧状態になったときにロック解除を可能とするマニュアルロック手段６を備えていることから、自動ロック手段５に何らかのトラブルが生じて内部の高気圧エアー浴空間が加圧された状態のまま自動ロック手段５がロック解除されたとしても、マニュアルロック手段６のロックが解除されない限り開閉カバー部材３は閉状態を維持するので、開閉カバー部材３が加圧力で吹っ飛んでしまうような事故を未然に防ぐことが出来て安全性を確保することができる。しかも、上記高気圧エアー浴空間が常圧状態になったときには、利用者はマニュアルで容易にロック解除して開閉カバー部材を開けて外に出ることができる。
【００４５】
また、上記マニュアルロック手段６は、高気圧エアー浴空間内の加圧力によってロック状態を維持し、高気圧エアー浴空間内が常圧に降圧することによりロック解除を可能とするように構成されているため、高気圧エアー浴空間内が加圧されている間はその加圧力によってロック状態が維持されるので開閉カバー部材３が開いてしまわずに安全性を確保でき、高気圧エアー浴空間内が常圧に降圧することによりロック解除が可能となって利用者は容易に外に出ることができる。
【００４６】
また、上記マニュアルロック手段６は、高気圧エアー浴空間内に内側操作レバー２３が設けられ、高気圧エアー浴空間外に外側操作レバー２５が設けられているため、高気圧エアー浴空間内が常圧に降圧したときには、利用者自ら内側操作レバー２３を操作してロック解除して外に出ることもできるし、店員等が外側操作レバー２５を操作してロック解除することにより利用者を外に出すこともできる。
【００４７】
また、上記マニュアルロック手段６は、内側操作レバー２３および外側操作レバー２５が取り付けられるシャフト部材２６と、上記シャフト部材２６が回動可能に挿通されるシャフト保持部材２７と、上記シャフト部材２６に固定されたフック部材２４と、上記フック部材２４が係止することによりロック状態とするロックピン２９とを備え、上記シャフト保持部材２７が寝台部４の壁面に形成された貫通穴２８に挿通され、寝台部４とシャフト保持部材２７との隙間に気密を保持する第１シール部材３０を存在させるとともに、シャフト保持部材２７とシャフト部材２６の隙間に気密を保持するＯリング３１を存在させたため、内側操作レバー２３および外側操作レバー２５の回動操作によりフック部材２４を回動させて容易にロック状態やロック解除状態にすることができるうえ、寝台部４とシャフト保持部材２７との隙間の気密状態およびシャフト保持部材２７とシャフト部材２６の隙間の気密状態が保持されて高気圧エアー浴空間内からのエア漏れを防止し、高気圧状態を確実に維持することができる。
【００４８】
また、上記自動ロック手段５は、開閉カバー部材３に取り付けられて係止ピン１３を有するロックアーム１４と、上記開閉カバー部材３が閉じた状態で上記係止ピン１３を係止してロック状態とするための係止部材１５と、上記係止部材１５を駆動する駆動手段１７とを備え、上記係止部材１５は駆動手段１７によって駆動されることにより、ロックアーム１４を徐々に寝台部に向かって引き込んで開閉カバー部材３と寝台部４との間の密着力を高くするように構成されているため、駆動手段１７で係止部材１５を駆動することにより、徐々に開閉カバー部材３の寝台部４への密着力が高くなることから、高気圧エアー浴空間内からのエア漏れを確実に防止し、高気圧状態を確実に維持することができる。
【００４９】
また、上記寝台部４と開閉カバー部材３との隙間に配置されて気密を保持するパッキン部材１１を備え、上記パッキン部材１１は、上記高気圧エアー浴空間に導入された加圧空気が侵入する加圧空気侵入空間３３と、上記加圧空気侵入空間３３への加圧空気の侵入により変位して相手材である寝台部４もしくは開閉カバー部材３に密着する変位部３４とを有しているため、上記高気圧エアー浴空間に加圧空気が導入されることにより変位部３４が相手材に密着して気密状態が確保されるため、高気圧エアー浴空間内からのエア漏れを確実に防止し、高気圧状態を確実に維持することができる。この場合において、高気圧エアー浴空間内を昇圧するほど変位部３４の変位量が大きくなって密着力が高くなるように構成することにより、高気圧エアー浴空間内からのエア漏れを一層確実に防止し、高気圧状態を一層確実に維持することができる。
【００５０】
なお、本発明の上記実施形態に限定するものではなく、下記の変形例を包含する趣旨である。
【００５１】
上記実施形態において、高気圧エアー浴空間には、大気を加圧した加圧空気を導入するようにしてもよいし、酸素濃度を高めた高酸素空気を加圧した加圧高酸素空気を導入するようにしてもよい。
【００５２】
また、上記実施形態では、横たわった利用者の足元にヒンジ部７を設けて開閉カバー部材３を縦方向に回動するようにしたが、横たわった利用者の横側にヒンジ部７を設けて開閉カバー部材３を横方向に回動するようにしてもよい。
【図面の簡単な説明】
【００５３】
【図１】本発明の一実施形態のカプセル型高気圧エアー浴装置を示す側面図である。
【図２】自動ロック手段の構造を示す正面図である。
【図３】自動ロック手段の構造を示す一部破断断面図である。
【図４】マニュアルロック手段を示す図であり、（Ａ）は断面図、（Ｂ）は内側から見た図である。
【図５】パッキン部材の作用を説明する図であり、（Ａ）は常圧時、（Ｂ）は加圧時の状態である。
【符号の説明】
【００５４】
１：筐体
２：加圧ポンプ
３：開閉カバー部材
４：寝台部
４ａ：カバー部材
５：自動ロック手段
６：マニュアルロック手段
７：ヒンジ部
８：ダンパ装置
９：窓
１１：パッキン部材
１３：係止ピン
１４：ロックアーム
１５：係止部材
１６：係止溝
１６ａ：開放部
１６ｂ：溝部
１７：駆動手段
１８：ウォームホイール
１９：ウォーム
２０：モータ
２１：回転軸
２３：内側操作レバー
２４：フック部材
２４ａ：切欠部
２５：外側操作レバー
２６：シャフト部材
２７：シャフト保持部材
２７ａ：筒状部
２７ｂ：フランジ部
２８：貫通穴
２９：ロックピン
３０：第１シール部材
３１：Ｏリング
３３：加圧空気侵入空間
３４：変位部
【図１】
2008194137.tif 000003
【図２】
2008194137.tif 000004
【図３】
2008194137.tif 000005
【図４】
2008194137.tif 000006
【図５】
2008194137.tif 000007